(57)【要約】      （修正有） 【課題】自動販売機の前部筐体と紙幣投入装置との間隔寸法のばらつきに対応しつつ紙幣投入装置の紙幣挿入口を保護する防盗カバー装置を提供する。【解決手段】第１カバー２９と、この第１カバー２９に合体及び合体解除可能な第２カバー３０とから構成し、第１カバー２９及び第２カバー３０は、本体部３１、４１と、上側側壁部３２、４２と、下側側壁部３３、４３とを有し、第２カバー３０の上側側壁部４２が第１カバー２９の上側側壁部３２に係合し、且つ第２カバー３０の下側側壁部４３が第１カバー２９の下側側壁部４３に係合することにより、第２カバー３０の本体部４１が第１カバー２９の本体部３１に前面側から対接して合体し、紙幣投入ユニットを防護することを特徴とする。自動販売機の用途や機種の相違により自動販売機の前面側筐体と紙幣投入装置との間の隙間にバラツキが生じても、第１カバー２９のみを使う、或いは第１カバー２９と第２カバー３０を合わせて使う等により簡単に対応することができる。【選択図】図４
0003209383.tif 000002
【実用新案登録請求の範囲】
【請求項１】
紙幣収納ボックスと、この紙幣収納ボックスに取り付けられ、投入された紙幣を紙幣収納ボックス内に送給する紙幣投入ユニットとを有する紙幣投入装置を保護する防盗カバー装置において、
前記防盗カバー装置は、
前記紙紙幣投入ユニットの前面に装着された略板状の第１カバーから構成され、
第１カバーは、本体部と、上側側壁部と、下側側壁部とを有し、自動販売機の筐体と紙幣投入装置との間の隙間を埋めるとともに、前記本体部が紙幣投入ユニットに対接して紙幣投入ユニットを防護する、
ことを特徴とする自動販売機の防盗カバー装置。
【請求項２】
前記防盗カバー装置は、前記第１カバーと、この第１カバーに合体及び合体解除可能な第２カバーとからなり、
前記第２カバーは、本体部と、上側側壁部と、下側側壁部とを有し、前記第２カバーの上側側壁部が前記第１カバーの上側側壁部に係合し、且つ前記第２カバーの下側側壁部が前記第１カバーの下側側壁部に係合することにより、前記第２カバーの本体部が前記第１カバーの本体部に前面側から対接して合体し、紙幣投入ユニットを防護する、
ことを特徴とする請求項１記載の自動販売機の防盗カバー装置。
ここから
【請求項３】
前記第１カバーの上縁部には庇部が設けられ、第２カバーの上側側壁部は前記庇部の後面側に位置することを特徴とする請求項２記載の自動販売機の防盗カバー装置。
【請求項４】
前記第１カバーの下縁部には切欠が設けられ、第２カバーの下側側壁部は前記切欠の内部に挿入されることを特徴とする請求項２記載の自動販売機の防盗カバー装置。
【考案の詳細な説明】
【技術分野】
【０００１】
本考案は、自動販売機の防盗カバー装置、特に機種ごとに機体各部の寸法が異なっている多種類の自動販売機の紙幣投入装置に対して、紙幣投入装置とこの紙幣投入装置の前面を覆う自動販売機のボックス体との間に設置されて自動販売機の紙幣挿入口を保護する防盗カバー装置に関するものである。
【背景技術】
【０００２】
自動販売機には、お茶やコーヒーなどの飲料を販売するものとか、たばこを販売するもの、或いはその他の商品を販売するもの等、多種多様の自動販売機が存在する。一般の自動販売機では、本体キャビネットの前面を開閉する外扉の前面には、販売商品又はその画像の陳列窓、商品選択ボタン、貨幣の入金口等、商品を自動販売するのに必要な各部位が配設してあり、その従来構造の一例として特許文献１に開示され、且つ図５及び図６に示されたものがある。図５は缶入り或いはペットボトル入り飲料等を販売する自動販売機の正面図である。図５において、１は前面が開口した筐体である本体キャビネット、２は本体キャビネット１の前面に、正面から見て左側壁にヒンジ機構を介して開閉自在に取り付けられた片開き式の外扉である。外扉２には前面側の上部区域に透明板３で覆われた商品のディスプレイ室４が形成されている。また、外扉２には硬貨投入口５，返却レバー６，紙幣挿入口７，投入金額などを表示する表示器８，硬貨返却口９，商品取出口１０，扉開閉用ハンドル１１を備えている。上記ディスプレイ室４の前面には各商品見本１２に対応して設けられた商品選択ボタンを備えた商品選択ボタンユニット１３が配設されている。
【０００３】
図６は上記自動販売機における紙幣投入装置の取付け状態を示す側面図である。図６において、外扉２に形成された矩形状の開口２１から紙幣挿入口７を備えた化粧枠１４の前面が露出している。この化粧枠１４はプラスチックなどの合成樹脂からなり、取付金具１５の前面側に固着されている。前記化粧枠１４には紙幣挿入口７が形成されている。１６は前記化粧枠１４に対応して外扉２の背面に取付けられた紙幣投入装置である。この紙幣投入装置１６は紙幣ガイド口部１７、紙幣識別部１８、紙幣収納ボックス１９などからなる。前記紙幣識別装置１６は紙幣ガイド口部１７が前方を向くように取付金具１５を介して外扉２の背面にねじにより固着されている。
【０００４】
このような紙幣投入装置１６を搭載した自動販売機にあっては紙幣投入装置１６に収納された紙幣を狙って自動販売機の紙幣挿入口７やスリット孔の部分を破壊される場合がある。この紙幣盗難行為の一つとして外扉の前面に露出した紙幣挿入口７にバールやドライバーなどを突き刺して紙幣挿入口７の間口を広げ、そこから覗く紙幣投入装置１６を破壊して紙幣を盗むという行為がある。このような紙幣の盗難を防止するため図６の例では、上記紙幣挿入口７と紙幣投入装置１６の紙幣ガイド口部１７との間に、防盗部材２０を取り付け、この防盗部材２０の取り付けが破壊されたときに防盗部材２０の落下により紙幣挿入口７から紙幣ガイド口部１７までの開口部を遮蔽する防盗カバー装置を装備している（特許文献１）。このような防盗カバー装置において、防盗部材２０は容易には変形しない程度の厚みを持った板金からＬ字状に成形され、紙幣挿入口７と紙幣投入装置１６の紙幣ガイド口部１７とをつなぐ連通孔２２が形成されており、この防盗部材２０を取付金具１５にねじにより係止するとともに外力（バールの力等）によりねじの破断や脱落が生じた際に自重により落下するように構成、取り付けされる。
【先行技術文献】
【特許文献】
【０００５】
【特許文献１】特開２００８−１５２４０７号公報
【考案の概要】
【考案が解決しようとする課題】
【０００６】
上述したように、従来技術における防盗カバー装置にあっては、防盗部材は紙幣挿入口７から紙幣投入装置１６へのアクセス通路に配置されている。しかしながら自動販売機には、上述した通り、お茶やコーヒーなどの飲料を販売するものとか、たばこを販売するもの、或いはその他の商品を販売するもの等、多種多様の自動販売機が存在しており、用途や機種が異なった自動販売機の間では躯体自体の寸法が異なり、当然のこととして紙幣挿入口７から紙幣投入装置１６へのアクセス通路の長さ寸法には種々ばらつきがある。例えば図６の事例において、紙幣挿入口７から紙幣投入装置１６へのアクセス通路の長さ寸法はＳであり、そのスペースに防盗部材２０が配置されているが、アクセス通路の長さ寸法Ｓは、自動販売機の内部における紙幣投入装置１６の配置位置により決定され、用途や機種が異なった他の自動販売機の場合は上記寸法Ｓよりも大きい（或いは小さい）といった状況は普通に生じる。このため、防盗部材２０を紙幣挿入口７から紙幣投入装置１６へのアクセス通路の紙幣挿入口７近辺に配置したとしても、その防盗部材２０と紙幣投入装置１６との間、或いは自動販売機の前面筐体である外扉２と紙幣投入装置１６との間に隙間が生じ、防盗部材２０の機能が弱体化する。
【０００７】
本考案は上記の点に鑑みなされたものであり、その目的は、自動販売機の前面側筐体と紙幣投入装置との間の隙間にバラツキがあっても、そのばらつきに対応しつつ自動販売機の紙幣挿入口及び内部の紙幣投入装置を保護する防盗カバー装置を提供することにある。
【課題を解決するための手段】
【０００８】
上記目的を達成するために本考案は、紙幣収納ボックスと、この紙幣収納ボックスに取り付けられ、投入された紙幣を紙幣収納ボックス内に送給する紙幣投入ユニットとを有する紙幣投入装置を保護する自動販売機の防盗カバー装置において、防盗カバー装置は、紙紙幣投入ユニットの前面に装着された略板状の第１カバーから構成され、第１カバーは、本体部と、上側側壁部と、下側側壁部とを有し、自動販売機の筐体と紙幣投入装置との間の隙間を埋めるとともに、本体部が紙幣投入ユニットに対接して紙幣投入ユニットを防護することを要旨とする。
【０００９】
本考案はまた前記防盗カバー装置を、前記第１カバーと、この第１カバーに合体及び合体解除可能な第２カバーとから構成し、前記第２カバーは、本体部と、上側側壁部と、下側側壁部とを有し、前記第２カバーの上側側壁部が前記第１カバーの上側側壁部に係合し、且つ前記第２カバーの下側側壁部が前記第１カバーの下側側壁部に係合することにより、前記第２カバーの本体部が前記第１カバーの本体部に前面側から対接して合体し、紙幣投入ユニットを防護することを要旨とする。
【００１０】
本考案はまた第１カバーと第２カバーから成る防盗カバー装置において、第１カバーの上縁部には庇部が設けられ、第２カバーの上側側壁部は前記庇部の後面側に配置してもよい。また、第１カバーの下縁部には切欠が設けられ、第２カバーの下側側壁部は前記切欠の内部に挿入されるようにしてもよい。
【考案の効果】
【００１１】
本考案の請求項１に係る自動販売機によれば、第１カバーと第２カバーを合わせて防盗カバー装置とすることができるため、防盗カバー装置の全体の厚さ寸法を調整することができる。よって、自動販売機の用途や機種の相違により自動販売機の前面側筐体と紙幣投入装置との間の隙間にバラツキが生じても設計変更を行うことなく、第１カバーのみを使う、或いは第１カバーと第２カバーを合わせて使うといったことにより簡単に対応することができる。また、第１カバーと第２カバーを合わせて防盗カバー装置とする場合は防護能力が向上するという効果を有するものである。
【図面の簡単な説明】
【００１２】
【図１】本考案の一実施の形態に係る防盗カバー装置が適用される紙幣投入装置の斜視図である。
【図２】（ａ）上記実施の形態に係る防盗カバー装置を構成する第１カバーの構造を表す上側側面図である。（ｂ）上記実施の形態に係る防盗カバー装置を構成する第１カバーの構造を表す正面図である。（ｃ）上記実施の形態に係る防盗カバー装置を構成する第１カバーの構造を表す下側側面図である。（ｄ）上記実施の形態に係る防盗カバー装置を構成する第１カバーの構造を表す図２（ｂ）の図の側方からみた右側側面図である。
【図３】（ａ）上記実施の形態に係る防盗カバー装置を構成する第２カバーの構造を表す上側側面図である。（ｂ）上記実施の形態に係る防盗カバー装置を構成する第２カバーの構造を表す正面図である。（ｃ）上記実施の形態に係る防盗カバー装置を構成する第２カバーの構造を表す下側側面図である。（ｄ）上記実施の形態に係る防盗カバー装置を構成する第２カバーの構造を表す図３（ｂ）の図の側方からみた右側側面図である。
【図４】上記実施の形態に係る防盗カバー装置において第１カバーを紙幣投入装置に装着し且つ第２カバーを第１カバーの前面から装着する状態を表す側面図である。
【図５】従来からある一般的な自動販売機を示す正面図である。
【図６】従来の自動販売機の紙幣投入装置の取り付け状態を示す側面図である。
【考案を実施するための形態】
【００１３】
図１から図４を用いて本考案の実施の形態を説明する。図１は、本考案の一実施の形態に係る防盗カバー装置が適用される紙幣投入装置を示す斜視図である。
【００１４】
図１において、符号２５は紙幣投入装置であり図６に示された紙幣投入装置１６と同様な構成を有し、自動販売機内に備え付けられる。この紙幣投入装置２５は、紙幣収納ボックス２６と、この紙幣収納ボックス２６に取り付けられ、自動販売機の外部から投入された紙幣を受け入れる紙幣投入ユニット２７とを備えている。紙幣投入装置２５は、図１では横臥された状態で表示されており、自動販売機への実際の取り付け状態は図６に示された紙幣投入装置１６と同じ状態である。したがって、紙幣投入装置２５は、紙幣投入ユニット２７が設けられている側（図１中左上方向）が上で、紙幣収納ボックス２６のみが表示されている側（図１中右下方向）が下である。以下の説明においても、上（上側）、下（下側）の位置表現は上記「上」、「下」の位置表現にしたがっている。紙幣収納ボックス２６は内部が中空の箱から成り、複数の紙幣が収納できる寸法に成形されている。紙幣投入装置２５は外観から見ると、紙幣収納ボックス２６が概略直方体の箱型構造を有する一方、紙幣投入ユニット２７は紙幣収納ボックス２６よりも小さい矩形体構造を有している。そして、紙幣投入ユニット２７は紙幣収納ボックス２６の正面２５ａ（図１中の上面）の上方部分の位置に紙幣収納ボックス２６の正面２５ａから突出する形態で取り付けられている。紙幣投入ユニット２７はその外面に紙幣を受け入れるためのスリット孔２８を有している。紙幣投入ユニット２７のスリット孔２８は紙幣収納ボックス２６の中空内部に連通しており、また、このスリット孔２８の周辺の紙幣投入ユニット２７内側部分には外部からスリット孔２８に差し込まれた紙幣を紙幣収納ボックス２６の中空内部へ送給する送り機構が設けられている。また、紙幣収納ボックス２６の下端部（図１中、手元部分）及び上端部（図１中、先方の隠れた部分）にはそれぞれ、同様のアングル形状に成形された支持フランジ２６ａが取り付けられている。
【００１５】
図２及び図３は上記紙幣投入装置２５に取り付けられて当該紙幣投入装置２５を保護する防盗カバー装置を示す。この実施の形態に係る防盗カバー装置は複数（本実施の形態では２個）の互いに異なった板状成形体構造をした第１カバー２９及び第２カバー３０から成る。第１カバー２９及び第２カバー３０は、金属（ステンレス、アルミニウム等）或いは合成樹脂（塩化ビニール、ポリプロピレン等）から成形され、図１に示された紙幣投入装置２５の紙幣投入ユニット２７に正面側から嵌着（この明細書では、被せるようにして装着することを表す）されることにより当該紙幣投入ユニット２７を防護する。また、第１カバー２９及び第２カバー３０は、紙幣投入装置２５の設置状態によっては、第１カバー２９のみが使用されて防盗カバー装置となることもあるし、第１カバー２９及び第２カバー３０の両方が協働し合って使用されて防盗カバー装置となることもある。
【００１６】
図２は実施の形態に係る防盗カバー装置を構成する第１カバー２９の構造を表す図であり、図２（ａ）は第１カバー２９の上側側面図であり、図２（ｂ）は第１カバー２９の正面図であり、図２（ｃ）は第１カバー２９の下側側面図であり、図２（ｄ）は第１カバー２９を図２（ｂ）の図の右側方からみた右側側面図である。また、図３は本実施の形態に係る防盗カバー装置を構成する第２カバー３０の構造を表す図であり、図３（ａ）は第２カバー３０の上側側面図であり、図３（ｂ）は第２カバー３０の正面図であり、図３（ｃ）は第２カバー３０の下側側面図であり、図３（ｄ）は第２カバー３０を図３（ｂ）の図の右側方からみた右側側面図である。
【００１７】
第１カバー２９は、図２（ｂ）に示されるように四角形状の本体部３１と、当該本体部３１と一体で本体部３１の上側縁部から後方（図２（ｂ）の正面図を基準とする。以下同じ）へ略直角に折り曲げ成形された上側側壁部３２と、本体部３１と一体で本体部３１の下側縁部から後方へ略直角に折り曲げ成形された下側側壁部３３と、本体部３１と一体で本体部３１の右側縁部から後方へ略直角に折り曲げ成形された右側側壁部３４と、本体部３１と一体で本体部３１の左側縁部から後方へ略直角に折り曲げ成形された左側側壁部３５とから成る。本体部３１の上下方向中央から所定寸法下った高さ位置には紙幣が通過するための通し孔３１ａが形成されている。第１カバー２９は本体部３１を中心として上側側壁部３２と、下側側壁部３３と、右側側壁部３４と、左側側壁部３５とを有し、これらの側壁部３２，３３，３４，３５は本体部３１の後方という同じ方向へ折り曲げ成形されている。したがって、第１カバー２９は外観的にみると凹型の容器或いは皿構造となっている（但し、側壁部３２，３３，３４，３５は互いに周方向につながっていない）。
【００１８】
上側側壁部３２はやや複雑な構造を有するので少し詳しく説明する。この上側側壁部３２は本体部３１の上側縁部において、本体部３１の幅方向両端部まで延びておらず中央部分の所定の長さ寸法ｄ１の範囲において折り曲げ成形されている。また、この上側側壁部３２は本体部３１の上縁（すなわち、エッジ）３１ｂで折り曲げ成形されておらず、その上縁３１ｂから所定の長さ寸法ｄ２だけ引込んだ位置において折り曲げ成形されている。そのため、上側側壁部３２の部分を側方からみると、図２（ｄ）に示されるように本体部３１の上側縁部の幅方向両側部により庇部分３１ｃが形成される。上記上側側壁部３２を本体部３１の上縁３１ｂから所定の長さ寸法ｄ２だけ引込んだ位置で折り曲げ成形するために、上側側壁部３２の両側の本体部３１部分には長さ寸法が略ｄ２の溝３１ｄが形成されている。上側側壁部３２はまた、本体部３１の上側縁部から後方へ略直角に折り曲げ成形されて第１の水平部３２ａを形成した後、上向きに折り曲げ成形されて垂直部３２ｂを形成し、さらに後方へと折り曲げ成形されて第２の水平部３２ｃを形成することにより、図２（ｄ）に示されるような階段構造を有している。
【００１９】
さらに、第１カバー２９の下側側壁部３３についてみると、この下側側壁部３３は、本体部３１の下側縁部から後方へ略直角に折り曲げ成形された後、その折曲部の中央部分が幅寸法がｄ３で概略本体部の厚さ分程度の寸法だけ後方へ切り下げられて凹部３３ａを形成している。また、本体部３１の下側縁部には上記凹部３３ａに対応して、凹部３３ａと略同じ幅寸法ｄ３で当該凹部３３ａに連続して上方に延びる接続空間部３１ｅと、この接続空間部３１ｅの先方に続いて上方に延び且つ接続空間部３１ｅの幅寸法ｄ３よりも大きい幅寸法ｄ４を有する拡幅空間部３１ｆと、から形成される切欠孔３１ｇが設けられている。切欠孔３１ｇは上述の構成から、図２（ｄ）に示されるように全体としてはＴ字型の中空形状を有する。
【００２０】
第２カバー３０は、図３（ｂ）に示されるように、四角形状の本体部４１と、当該本体部４１と一体で本体部４１の上側縁部から後方（図３（ｂ）の正面図を基準とする。以下同じ）へ略直角に折り曲げ成形された上側側壁部４２と、本体部４１と一体で本体部４１の下側縁部から後方へ略直角に折り曲げ成形された下側側壁部４３とから成る。本体部４１の上下方向中央から所定寸法下った高さ位置には紙幣が通過するための通し孔４１ａが形成されている。上側側壁部４２は、本体部４１の幅寸法Ｄ１と同じ幅寸法を有するが、その中央部分においては幅寸法Ｄ１よりも小さい幅寸法Ｄ２を有し本体部４１に接続して後方に延びる接続部４２ａが設けられることにより、全体としては逆Ｔ字型の形状を有するとともに、接続部４２ａが延在することにより本体部４１と上側側壁部４２との間に隙間４４が形成されている。この隙間４４の寸法は第１カバー２９の板厚と略等しく、第１カバー２９を収容し得る寸法である。なお、本体部４１から延びた接続部４２ａの終端部分の左右両側には上側側壁部４２の内部に切り込まれた切欠４５が形成されている。
【００２１】
第２カバー３０の下側側壁部４３は、本体部４１の幅寸法Ｄ１よりも小さい幅寸法Ｄ３に成形され、その中央部分においては幅寸法Ｄ３よりもさらに小さい幅寸法Ｄ４を有し本体部４１に接続して後方に延びる接続部４３ａが設けられることにより、全体としては逆Ｔ字型の形状を有するとともに、接続部４３ａが延在することにより本体部４１と下側側壁部４３との間に隙間４６が形成されている。この隙間４６の寸法は第１カバー２９の板厚と略等しく、第１カバー２９を収容し得る寸法である。なお、本体部４１から延びた接続部４３ａの終端部分の左右両側には下側側壁部４３の内部に切り込まれた切欠４７が形成されている。また、上側側壁部４２の接続部４２ａの幅寸法Ｄ２と下側側壁部４３の接続部４３ａの幅寸法Ｄ４とはどちらかが大きくても良く、さらには同じ幅寸法であってもよい。そして第２カバー３０は、図３（ｄ）からも明らかなように、左右側面には側壁部を有していない。
【００２２】
第１カバー２９及び第２カバー３０は両方が協働し合って防盗カバー装置を構成するものであるから、それぞれの構造には互いに関連性を持つ部分がある。すなわち、第１カバー２９の上側側壁部３２と第２カバー３０の上側側壁部４２は互いに係合可能なように成形されている。よって、第１カバー２９の上側側壁部３２の第１の水平部３２ａの長さ寸法は第２カバー３０の上側側壁部４２の高さ寸法に略等しい。また、第１カバー２９の上側側壁部３２の第１の水平部３２ａの幅寸法ｄ１は第２カバー３０の上側側壁部４２の接続部４２ａの幅寸法Ｄ２に略等しい（したがって、上記幅寸法ｄ１は第２カバー３０の本体部４１の幅寸法Ｄ１よりも小さい）。また、第１カバー２９の下側側壁部３３の凹部３３ａ（及び本体部３１の接続空間部３１ｅ）の幅寸法ｄ３は第２カバー３０の下側側壁部４３を構成する接続部４３ａの幅寸法Ｄ４に略等しい。さらに、第１カバー２９の本体部３１の下側縁部に形成された拡幅空間部３１ｆの幅寸法ｄ４は第２カバー３０の下側側壁部４３の幅寸法Ｄ３に略等しい。このため、第２カバー３０を第１カバー２９に対して正面側から嵌着させてそれぞれの上側側壁部３２と４２及び下側側壁部３３と４３を係合させると、第２カバー３０は第１カバー２９に対して上下方向にずれ運動が可能であり、下へ移動したとき（常態では重力により降下位置を取る）は、第２カバー３０の上側側壁部４２が第１カバー２９の上側側壁部３２の第１の水平部３２ａに対接する。このとき第２カバー３０の上側側壁部４２は本体部３１の上側縁部に形成された庇部分３１ｃ内部に入り込んで解除が規制され、嵌着状態が維持される。
【００２３】
他方、第１カバー２９の下側側壁部３３と第２カバー３０の下側側壁部４３も互いに係合、係合解除が可能である。すなわち、第１カバー２９の下側縁部には、凹部３３ａと、接続空間部３１ｅと、拡幅空間部３１ｆとが形成されている一方、第２カバー３０の下側側壁部４３には接続部４３ａと隙間４６が形成されているから、上述の下側側壁部３３と４３の係合に際して第２カバー３０の下側側壁部４３が第１カバーの拡幅空間部３１ｆに挿入されて上記係合が実現する。そして、第２カバー３０が第１カバー２９に対して下へ移動したときは、第２カバー３０の下側側壁部４３が第１カバー２９の拡幅空間部３１ｆから接続空間部３１ｅ側へと移動し、第２カバー３０の下側側壁部４３は接続空間部３１ｅが設けられた本体部３１の下側部分に入り込んで解除が規制され、嵌着状態が維持される。
【００２４】
以下、本考案における防盗カバー装置の適用動作について説明する。図４は本考案の防盗カバー装置を構成する第１カバー２９及び第２カバー３０の紙幣投入装置２５への装着を説明する側面図である。紙幣投入装置２５へは先ず第１カバー２９が装着される。装着の態様として、第１カバー２９は紙幣投入装置２５の紙幣投入ユニット２７へ、その前面側から被せるようにして取り付けられている。第１カバー２９は先にも述べたように、外観的にみると凹型の容器或いは皿構造となっているから、箱型構造の紙幣投入ユニット２７に合体するように取り付けられることができる。そして、本体部３１の後面（図４では右側面に当たる）が紙幣投入ユニット２７の前面に対接する一方、紙幣投入ユニット２７の４周は側壁部３２，３３，３４，３５によって囲み、さらに、第１カバー２９の上側側壁部３２はその第２の水平部３２ｃが紙幣投入装置２５の紙幣収納ボックス２６の上端に引っ掛かることによって固定される。なお、第１カバー２９と紙幣投入ユニット２７との間において、第１カバー２９高さ方向寸法Ｈ１は紙幣投入ユニット２７の高さ方向寸法Ｈ２よりも大きく、且つ第１カバー２９の下側部分は紙幣投入ユニット２７の下端から寸法Ｐだけ下方へ突出（オーバーハング）している。そして、第１カバー２９の切欠孔３１ｇは上記突出した部分に形成されている。よって、切欠孔３１ｇは紙幣投入ユニット２７によって塞がれることなく、貫通状態になっている。また、第１カバー２９の通し孔３１ａと紙幣投入ユニット２７のスリット孔２８は整合した状態で一致している。この取り付け状態の下で、第１カバー２９は、紙幣投入装置２５の取り付け主体である自動販売機の前面側筐体と紙幣投入装置２５との間の隙間を埋めるとともに、紙幣投入ユニット２７を防護し、従来例（図２）における防盗部材２０と同じ役割、機能を果たし、一定の防盗効果を果たす。
【００２５】
上述のように、第１カバー２９を取り付けた状態であっても、上述の従来の問題点として提起したような、自動販売機の用途や機種の相違により自動販売機の前面側筐体と紙幣投入装置２５との間に隙間が生じることがある。この場合は、第１カバー２９を取り付けた状態の下で、さらに紙幣投入ユニット２７及び第１カバー２９の前面側から図４中矢印Ａの方向へ第２カバー３０を装着する。
【００２６】
第２カバー３０を装着するに当たっては、先ず第２カバー３０は、図４に示されるように第１カバー２９よりも上方へずらしてセットされる。この位置関係は、第２カバー３０の上側側壁部４２は第１カバー２９の上縁部から上方へはみだしている一方、下側側壁部４３は第１カバー２９の切欠孔３１ｇの拡幅空間部３１ｆに整合する位置である。そして、第２カバー３０を矢印Ａ方向へ移動させて第１カバー２９に係合させると、第２カバー３０の下側側壁部４３は、その幅寸法Ｄ３が第１カバー２９の拡幅空間部３１ｆの幅寸法ｄ４に略等しいから、貫通状態になっている拡幅空間部３１ｆの中へ入って第１カバー２９の裏側へ抜ける。このとき第２カバー３０の本体部４１についてみると、その後面（図４では右側面に当たる）が第１カバー２９の本体部３１の前面（図４では左側面に当たる）に対接する。このタイミングまでは、第２カバー３０は、上述のように第１カバー２９よりも上方へずらしてセットされたままである。
【００２７】
上記ずれ状態から、第２カバー３０を下方へ（すなわち、重力の作用する方向へ）第１カバー２９に沿って滑り移動させると、下側側壁部４３は第１カバー２９の裏側へ抜けた状態のままで下方へ移動し始め、第１カバー２９の拡幅空間部３１ｆに対応する位置から接続空間部３１ｅに対応する位置まで移動する。そして下側側壁部４３は、接続空間部３１ｅに対応する位置に到達したところで第１カバー２９の下側側壁部３３に突き当たり、この部位で停止する。この移動動作中において、第２カバーの上側側壁部４２は、第１カバー２９の上縁部から上方へはみだしていた状態から下方へ移動し始める。第２カバー３０の本体部４１と上側側壁部４２との間には隙間４４が形成されており、この隙間４４の寸法は第１カバー２９の板厚と略等しく、第１カバー２９を収容し得る寸法に設定してあるから、上側側壁部４２の下方移動は隙間４４に第１カバー２９の上縁部を収容しつつ妨害を受けることなく行われ、上側側壁部４２が第１カバー２９の本体部３１の庇部分３１ｃ内部（裏面側）に入り込んだ位置まで下方へ移動する。そして上側側壁部４２は、庇部分３１ｃ内部に入り込んだところで第１カバー２９の上側側壁部３２、なかんずく第１の水平部３２ａに略突き当たる。
【００２８】
以上の動作により、第１カバー２９と第２カバー３０とが合体され、防盗カバー装置が構成される。このとき、それぞれのカバー２９，３０の上縁部では、第２カバー３０の上側側壁部４２が第１カバー２９の庇部分３１ｃ内部に入り込んでいて、且つ第１カバー２９の上側側壁部３２の第１の水平部３２ａの幅寸法ｄ１は第２カバー３０の上側側壁部４２の幅寸法Ｄ１よりも小さいから、上側側壁部４２は庇部分３１ｃに係合して解除が規制され、嵌着状態が維持される。他方において、それぞれのカバー２９，３０の下縁部では、第２カバー３０の下側側壁部４３が第１カバー２９の拡幅空間部３１ｆに対応する位置から接続空間部３１ｅに対応する位置まで移動していて、且つ接続空間部３１ｅの幅寸法ｄ３は拡幅空間部３１ｆの幅寸法ｄ４よりも小さいから、下側側壁部４３は接続空間部３１ｅに係合して解除が規制され、嵌着状態が維持される。これにより第１カバー２９と第２カバー３０は単に合体されるだけでなく、合体後の常態においては解除が出来ないようになっている。そして本考案では、第１カバー２９のみで防盗カバー装置とすることもできる一方、第１カバー２９と第２カバー３０を合わせて防盗カバー装置とすることもできるため、防盗カバー装置の全体の厚さ寸法を調整することができる。よって、自動販売機の用途や機種の相違により自動販売機の前面側筐体と紙幣投入装置２５との間の隙間にバラツキが生じても設計変更を行うことなく簡単に対応することができる。また、第１カバー２９と第２カバー３０を合わせて防盗カバー装置とするため、防護能力が向上する。
【００２９】
ただし、第１カバー２９と第２カバー３０を解除したときは、上述の組み立て動作とは逆の手順で第２カバー３０を上方へ移動させ前面側へ外せば分解することは可能である。
【産業上の利用可能性】
【００３０】
本考案によれば、自動販売機などに設置される紙幣投入装置のユニット体と自動販売機などの外筐部材との間に、紙幣投入装置の紙幣投入部分の寸法バラツキに柔軟に対応し得る複数のカバーから成る防盗カバー装置を取り付けることにより汎用性の高い防盗カバー装置による盗難防止を図ることができる。
【符号の説明】
【００３１】
２５  紙幣投入装置
２６  紙幣収納ボックス
２７  紙幣投入ユニット
２８  スリット孔
２９  第１カバー
３０  第２カバー
３１、４１  本体部
３２、４２  上側側壁部
３３、４３  下側側壁部
３４、４４  右側側壁部
３５、４５  左側側壁部
４６  隙間
４７  切欠
【図１】
0003209383.tif 000003
【図２】
0003209383.tif 000004
【図３】
0003209383.tif 000005
【図４】
0003209383.tif 000006
【図５】
0003209383.tif 000007
【図６】
0003209383.tif 000008
【手続補正書】
【提出日】平成29年1月10日(2017.1.10)
【手続補正１】
【補正対象書類名】明細書
【補正対象項目名】０００８
【補正方法】変更
【補正の内容】
【０００８】
上記目的を達成するために本考案は、紙幣収納ボックスと、この紙幣収納ボックスに取り付けられ、投入された紙幣を紙幣収納ボックス内に送給する紙幣投入ユニットとを有する紙幣投入装置を保護する自動販売機の防盗カバー装置において、防盗カバー装置は、紙幣投入ユニットの前面に装着された略板状の第１カバーから構成され、第１カバーは、本体部と、上側側壁部と、下側側壁部とを有し、自動販売機の筐体と紙幣投入装置との間の隙間を埋めるとともに、本体部が紙幣投入ユニットに対接して紙幣投入ユニットを防護することを要旨とする。
【手続補正２】
【補正対象書類名】実用新案登録請求の範囲
【補正対象項目名】全文
【補正方法】変更
【補正の内容】
【実用新案登録請求の範囲】
【請求項１】
紙幣収納ボックスと、この紙幣収納ボックスに取り付けられ、投入された紙幣を紙幣収納ボックス内に送給する紙幣投入ユニットとを有する紙幣投入装置を保護する防盗カバー装置において、
前記防盗カバー装置は、
前記紙幣投入ユニットの前面に装着された略板状の第１カバーから構成され、
第１カバーは、本体部と、上側側壁部と、下側側壁部とを有し、自動販売機の筐体と紙幣投入装置との間の隙間を埋めるとともに、前記本体部が紙幣投入ユニットに対接して紙幣投入ユニットを防護する、
ことを特徴とする自動販売機の防盗カバー装置。
【請求項２】
前記防盗カバー装置は、前記第１カバーと、この第１カバーに合体及び合体解除可能な第２カバーとからなり、
前記第２カバーは、本体部と、上側側壁部と、下側側壁部とを有し、前記第２カバーの上側側壁部が前記第１カバーの上側側壁部に係合し、且つ前記第２カバーの下側側壁部が前記第１カバーの下側側壁部に係合することにより、前記第２カバーの本体部が前記第１カバーの本体部に前面側から対接して合体し、紙幣投入ユニットを防護する、
ことを特徴とする請求項１記載の自動販売機の防盗カバー装置。
【請求項３】
前記第１カバーの上縁部には庇部が設けられ、第２カバーの上側側壁部は前記庇部の後面側に位置することを特徴とする請求項２記載の自動販売機の防盗カバー装置。
【請求項４】
前記第１カバーの下縁部には切欠が設けられ、第２カバーの下側側壁部は前記切欠の内部に挿入されることを特徴とする請求項２記載の自動販売機の防盗カバー装置。